(57)【要約】【課題】空気中に含まれる花粉等の有害物質が室内に取り込まれないようにする。【解決手段】空気調和機１は、空気取り入れ口と、空気取り入れ口から取り入れた空気を加熱するヒータ組立体４２と、空気を加湿するための加湿ユニット４とを備えている。そして、この空気調和機１では、空気取り入れ口から取り入れた空気をヒータ組立体４２により加熱して且つ加湿ユニット４により加湿して室内へ供給する加湿運転モードと、空気取り入れ口から取り入れた空気をヒータ組立体４２により加熱して且つ加湿ユニット４により加湿せずに室内へ供給する換気運転モードとに切り換え可能である。【選択図】図２
2010043848.tif 000002
【特許請求の範囲】
【請求項１】
室外から室内へ空気を導入する空気調和機であって、
空気取り入れ口と、
前記空気取り入れ口から取り入れた空気を加熱するヒータとを備えており、
前記空気取り入れ口から取り入れた空気を前記ヒータにより加熱して室内へ供給することを特徴とする空気調和機。
【請求項２】
前記空気を加湿するための加湿手段をさらに備え、
前記空気取り入れ口から取り入れた空気を前記ヒータにより加熱して且つ前記加湿手段により加湿して室内へ供給する加湿運転モードと、
前記空気取り入れ口から取り入れた空気を前記ヒータにより加熱して且つ前記加湿手段により加湿せずに室内へ供給する換気運転モードとに切り換え可能であることを特徴とする請求項１に記載の空気調和機。
【請求項３】
前記空気取り入れ口は、第１の空気取り入れ口と第２の空気取り入れ口とを含み、
前記加湿手段は、水分を吸着する吸着材を有しており、前記第２の空気取り入れ口から取り入れた空気に含まれる水分を前記吸着材に吸着させると共に、前記吸着材に吸着された水分によって前記第１の空気の取り入れ口から取り入れた空気を加湿することを特徴とする請求項２に記載の空気調和機。
【請求項４】
前記加湿手段が、
少なくとも一部が前記吸着剤から構成された回転体と、
前記回転体を回動させる回転体駆動手段と、
所定の位置において前記回転体を構成する前記吸着材に前記第２の空気取り入れ口から取り入れた空気を吹き付けると共に、前記所定の位置より前記回転体の回転方向下流側において前記回転体を構成する前記吸着材に前記第１の空気取り入れ口から取り入れた空気を吹き付ける吹き付け手段とを有しており、
前記回転体駆動手段は、前記加湿運転モードにおいては前記回転体を回動させ、前記換気運転モードにおいては前記回転体の回転を停止させることを特徴とする請求項３に記載の空気調和機。
【請求項５】
前記空気取り入れ口から取り入れた空気を前記ヒータにより加熱せず且つ前記加湿手段により加湿せずに室内へ供給する非加熱換気運転モードにさらに切り換え可能であることを特徴とする請求項２〜４に記載の空気調和機。
【請求項６】
前記非加熱換気運転モードと前記換気運転モードとの切り換えを指示するリモコン装置をさらに備えていることを特徴とする請求項５に記載の空気調和機。
【請求項７】
一年間のうちの所定期間か否かを判定する期間判定手段をさらに備えており、
前記期間判定手段の判定結果に基づいて、前記非加熱換気運転モードと前記換気運転モードとが切り換えられることを特徴とする請求項５又は６に記載の空気調和機。
【請求項８】
前記空気取り入れ口から取り入れられた空気に含まれる異物粒子の量を検出する異物検出手段をさらに備えており、
前記異物検出手段の検出結果に基づいて、前記非加熱換気運転モードと前記換気運転モードとが切り換えられることを特徴とする請求項５〜７のいずれか１項に記載の空気調和機。
【発明の詳細な説明】
【技術分野】
【０００１】
本発明は、室外から室内へ空気を導入する空気調和機に関する。
【背景技術】
【０００２】
近年、屋外の空気中に含まれる水分により加湿された空気を室内に供給する加湿ユニットを備えた空気調和機が知られている（例えば、特許文献１参照）。このような加湿ユニットを備えた空気調和機では、空気が乾燥する冬などにも室内が快適な湿度に保たれる。また、この加湿ユニットを備えた空気調和機は、室外から取り入れた空気を室内へと供給する機能を備えているため、加湿が必要でない夏などに、加湿を伴わない換気を行わせることも可能である。
【先行技術文献】
【特許文献】
【０００３】
【特許文献１】特開２００１−４１５１１号公報
【発明の概要】
【発明が解決しようとする課題】
【０００４】
しかしながら、上記した加湿を伴わない換気を行う場合、屋外の空気が加熱されることなく室内に供給されるため、加湿ユニットの設置環境によって、空気中に含まれる花粉等の有害物質が室内に取り込まれてしまうという問題がある。
【０００５】
そこで、この発明は、上記のような課題を解決するためになされたものであり、空気中に含まれる花粉等の有害物質が室内に取り込まれないようにすることが可能な空気調和機を提供することを目的とする。
【課題を解決するための手段】
【０００６】
第１の発明にかかる空気調和機は、室外から室内へ空気を導入する空気調和機であって、空気取り入れ口と、空気取り入れ口から取り入れた空気を加熱するヒータとを備えており、空気取り入れ口から取り入れた空気をヒータにより加熱して室内へ供給する。
【０００７】
この空気調和機では、空気取り入れ口から取り入れた空気を加熱して室内へ供給できる。これによって、空気取り入れ口から取り入れた空気に花粉粒子などの異物が含まれている場合に、ヒータの加熱で花粉粒子などの異物の作用を低下させてから室内に換気用の空気を供給することができる。したがって、花粉用フィルタを交換したり、花粉用薬剤を塗布したりするメンテナンスの必要がない。
【０００８】
第２の発明にかかる空気調和機は、第１の発明にかかる空気調和機において、空気を加湿するための加湿手段をさらに備え、空気取り入れ口から取り入れた空気をヒータにより加熱して且つ加湿手段により加湿して室内へ供給する加湿運転モードと、空気取り入れ口から取り入れた空気をヒータにより加熱して且つ加湿手段により加湿せずに室内へ供給する換気運転モードとに切り換え可能である。
【０００９】
この空気調和機では、換気運転モードにおいて空気取り入れ口から取り入れた空気を加熱して室内へ供給できる。これによって、空気取り入れ口から取り入れた空気に花粉粒子などの異物が含まれている場合に、ヒータの加熱で花粉粒子などの異物の作用を低下させてから室内に換気用の空気を供給することができる。したがって、花粉用フィルタを交換したり、花粉用薬剤を塗布したりするメンテナンスの必要がない。また、異物の作用を低下させるためのヒータとして、加湿用のヒータを用いることができるので、ヒータを別途用意する必要がない。
【００１０】
第３の発明にかかる空気調和機は、第２の発明にかかる空気調和機において、空気取り入れ口は、第１の空気取り入れ口と第２の空気取り入れ口とを含み、加湿手段は、水分を吸着する吸着材を有しており、第２の空気取り入れ口から取り入れた空気に含まれる水分を吸着材に吸着させると共に、吸着材に吸着された水分によって第１の空気の取り入れ口から取り入れた空気を加湿する。
【００１１】
この空気調和機では、第２の空気取り入れ口から取り入れた空気に含まれる水分を吸着材に吸着させ、その水分を用いて第１の空気取り入れ口から取り入れた空気を加湿することができる。
【００１２】
第４の発明にかかる空気調和機は、第３の発明にかかる空気調和機において、加湿手段が、少なくとも一部が吸着剤から構成された回転体と、回転体を回動させる回転体駆動手段と、所定の位置において回転体を構成する吸着材に第２の空気取り入れ口から取り入れた空気を吹き付けると共に、所定の位置より回転体の回転方向下流側において回転体を構成する吸着材に第１の空気取り入れ口から取り入れた空気を吹き付ける吹き付け手段とを有しており、回転体駆動手段は、加湿運転モードにおいては回転体を回動させ、換気運転モードにおいては回転体の回転を停止させる。
【００１３】
この空気調和機では、加湿運転モードでは、所定の位置において第２の空気取り入れ口から取り入れた空気を吹き付けることで、その空気の水分を吸着材に吸着させる。このとき所定の位置にあった吸着材は、回転体の回転によって回転方向下流側へと移動する。そして、その下流側の位置において、第１の空気取り入れ口から取り入れた空気を吹き付けることで、吸着材が吸着した水分をヒータの加熱により当該空気へと放出させることができる。これによって、第１の空気取り入れ口から取り入れた空気を加湿することができる。
一方、換気運転モードでは、回転体が回転しないので、第１の空気取り入れ口から取り入れた空気は吸着材の同じ範囲に吹き付けられ続ける。したがって、第１の空気取り入れ口から取り入れた空気は、ヒータにより加熱されるだけで加湿されずに換気用の空気として室内などに供給される。
【００１４】
第５の発明にかかる空気調和機は、第２〜第４のいずれかの発明にかかる空気調和機において、空気取り入れ口から取り入れた空気をヒータにより加熱せず且つ加湿手段により加湿せずに室内へ供給する非加熱換気運転モードにさらに切り換え可能である。
【００１５】
この空気調和機では、換気運転において、加熱によって異物の作用を低下させるモードと加熱しないモードとを切り換えることができる。
【００１６】
第６の発明にかかる空気調和機は、第５の発明にかかる空気調和機において、非加熱換気運転モードと換気運転モードとの切り換えを指示するリモコン装置をさらに備えている。
【００１７】
この空気調和機では、換気運転において、加熱によって異物の作用を低下させるモードと加熱しないモードとを、リモコン操作によって切り換えることができる。
【００１８】
第７の発明にかかる空気調和機は、第５又は第６の発明にかかる空気調和機において、一年間のうちの所定期間か否かを判定する期間判定手段をさらに備えており、期間判定手段の判定結果に基づいて、非加熱換気運転モードと換気運転モードとが切り換えられる。
【００１９】
この空気調和機では、例えば、所定期間を花粉が多く発生する期間に設定することにより、花粉が多い期間には加熱によって花粉の作用を低下させるモードを自動で選択する、といった制御が可能になる。
【００２０】
第８の発明にかかる空気調和機は、第５〜第７のいずれかの発明にかかる空気調和機において、空気取り入れ口から取り入れられた空気に含まれる異物粒子の量を検出する異物検出手段をさらに備えており、異物検出手段の検出結果に基づいて、非加熱換気運転モードと換気運転モードとが切り換えられる。
【００２１】
この空気調和機では、空気中に含まれる異物粒子の検出量に基づいて、異物が多い場合には加熱によって異物の作用を低下させるモードを自動で選択する、といった制御が可能になる。
【発明の効果】
【００２２】
以上の説明に述べたように、本発明によれば、以下の効果が得られる。
【００２３】
第１の発明では、空気取り入れ口から取り入れた空気を加熱して室内へ供給できる。これによって、空気取り入れ口から取り入れた空気に花粉粒子などの異物が含まれている場合に、ヒータの加熱で花粉粒子などの異物の作用を低下させてから室内に換気用の空気を供給することができる。したがって、花粉用フィルタを交換したり、花粉用薬剤を塗布したりするメンテナンスの必要がない。
【００２４】
第２の発明では、換気運転モードにおいて空気取り入れ口から取り入れた空気を加熱して室内へ供給できる。これによって、空気取り入れ口から取り入れた空気に花粉粒子などの異物が含まれている場合に、ヒータの加熱で花粉粒子などの異物の作用を低下させてから室内に換気用の空気を供給することができる。したがって、花粉用フィルタを交換したり、花粉用薬剤を塗布したりするメンテナンスの必要がない。また、異物の作用を低下させるためのヒータとして、加湿用のヒータを用いることができるので、ヒータを別途用意する必要がない。
【００２５】
また、第３の発明では、第２の空気取り入れ口から取り入れた空気に含まれる水分を吸着材に吸着させ、その水分を用いて第１の空気取り入れ口から取り入れた空気を加湿することができる。
【００２６】
また、第４の発明では、加湿運転モードでは、所定の位置において第２の空気取り入れ口から取り入れた空気を吹き付けることで、その空気の水分を吸着材に吸着させる。このとき所定の位置にあった吸着材は、回転体の回転によって回転方向下流側へと移動する。そして、その下流側の位置において、第１の空気取り入れ口から取り入れた空気を吹き付けることで、吸着材が吸着した水分をヒータの加熱により当該空気へと放出させることができる。これによって、第１の空気取り入れ口から取り入れた空気を加湿することができる。
一方、換気運転モードでは、回転体が回転しないので、第１の空気取り入れ口から取り入れた空気は吸着材の同じ範囲に吹き付けられ続ける。したがって、第１の空気取り入れ口から取り入れた空気は、ヒータにより加熱されるだけで加湿されずに換気用の空気として室内などに供給される。
【００２７】
また、第５の発明では、換気運転において、加熱によって異物の作用を低下させるモードと加熱しないモードとを切り換えることができる。
【００２８】
また、第６の発明では、換気運転において、加熱によって異物の作用を低下させるモードと加熱しないモードとを、リモコン操作によって切り換えることができる。
【００２９】
また、第７の発明では、所定期間を花粉が多く発生する期間に設定することにより、花粉が多い期間には加熱によって花粉の作用を低下させるモードを自動で選択する、といった制御が可能になる。
【００３０】
また、第８の発明では、空気中に含まれる異物粒子の検出量に基づいて、異物が多い場合には加熱によって異物の作用を低下させるモードを自動で選択する、といった制御が可能になる。
【図面の簡単な説明】
【００３１】
【図１】本発明の第１実施形態に係る空気調和機を示す外観図である。
【図２】冷媒回路の構成図である。
【図３】図１に示した空気調和機の室外機の背面を示した斜視図である。
【図４】図１に示した室内機の内部構造を示した断面模式図である。
【図５】加湿ロータ及び空気の流れを示す図である。
【図６】空気調和機の制御ブロック図である。
【図７】カレンダー機能に基づく花粉無害化に関する制御を表すフローチャートである。
【図８】埃判別機能に基づく花粉無害化に関する制御を表すフローチャートである。
【図９】加熱温度と花粉のアレルゲン低減率との関係を示したグラフである。
【図１０】本発明の第２実施形態に係る空気調和機の冷媒回路の構成図である。
【図１１】本発明の第２実施形態の第１変形例に係る空気調和機の冷媒回路の構成図である。
【図１２】本発明の第２実施形態の第２変形例に係る空気調和機の冷媒回路の構成図である。
【発明を実施するための形態】
【００３２】
以下、図面に基づいて、本発明に係る空気調和機の実施形態について説明する。
【００３３】
（第１実施形態）
＜空気調和機の概略構成＞
図１は、本発明の第１実施形態に係る空気調和機１を示す外観図である。
本実施形態の空気調和機１は、図１に示すように、室内の壁面などに取り付けられる室内機２と、室外に設置される室外機３と、リモコン装置５０とを備えている。
【００３４】
室外機３は、加湿ユニット４（加湿手段）と、室外空調ユニット５とを備えている。加湿ユニット４は、室外から空気を取り込み、当該空気を加湿して室内へ送る。室外空調ユニット５は、室外熱交換器やプロペラファンなどを収納し室内の冷暖房を行う。
【００３５】
室内機２には、室内熱交換器１１（図２参照）が収納される。室外機３には、室外熱交換器２４（図２参照）が収納される。そして、室内熱交換器１１及び室外熱交換器２４を接続する冷媒配管３１，３２が、冷媒回路を構成している。また、室外機３と室内機２との間には、加湿ユニット４からの加湿空気を室内機２側に供給するときや、室内の空気を室外に排出するときに用いられる給排気ホース６が設けられている。
【００３６】
＜冷媒回路の全体構成＞
図２は、空気調和機１で用いられる冷媒回路の構成図に空気の流れの概略を付加したものである。
【００３７】
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００３８】
また、室内機２には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内の空気を室内機２内に吸込ませるとともに、室内熱交換器１１との間で熱交換を行った後の空気を室内に吹き出させる。
【００３９】
図２に示すように、室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁２５とが設けられている。電動膨張弁２５は、フィルタ２６及び液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１及び冷媒配管３２は、上述した給排気ホース６とともに集合連絡管７を形成する。
【００４０】
また、室外空調ユニット５内には、室外熱交換器２４での熱交換後の空気を外部に排出するためのプロペラファン２９が設けられている。このプロペラファン２９は、室外ファンモータ３０によって回転駆動される。
【００４１】
＜室外機の構成＞
図１に示すように、室外機３は、下部の室外空調ユニット５及び上部の加湿ユニット４とが一体となって構成されている。
【００４２】
＜室外空調ユニット＞
室外空調ユニット５は、主として、室外空調ユニットケーシングと、室外空調ユニットケーシングの内部に収容される冷媒回路構成部品とにより構成されている。
【００４３】
室外空調ユニットケーシングは、前面パネル５１と、右側板５２と、左側板５３（図３参照）とを有している。前面パネル５１は、室外空調ユニット５の前面を覆う樹脂製の部材である。前面パネル５１には、複数のスリット状の開口からなる室外空調ユニット吹出口５１ａが設けられている。室外熱交換器２４（図２参照）を通った空気は、室外空調ユニット５の内部からこの室外空調ユニット吹出口５１ａを通って室外機３の外部へと吹き出される。
【００４４】
右側板５２及び左側板５３は室外空調ユニット５の側方を覆う金属製の部材である。右側板５２には、液閉鎖弁２７及びガス閉鎖弁２８（図２参照）を保護するための閉鎖弁カバー５５が取り付けられる。また、室外空調ユニット５の背面には、保護金網５６（図３参照）が設けられている。
【００４５】
図２に示すように、冷媒回路構成部品には、上述した室外熱交換器２４、圧縮機２１、アキュムレータ２３、四路切換弁２２、電動膨張弁２５等がある。室外熱交換器２４の前方には、室外ファンモータ３０とプロペラファン２９とが設けられている。プロペラファン２９は、室外空調ユニット５内に取り入れた空気を、室外熱交換器２４を通過するように送風する。プロペラファン２９によって生成される空気流は、室外熱交換器２４とプロペラファン２９との間を通る室外機空気経路Ｒ３を通り、室外空調ユニット吹出口５１ａから前面パネル５１の前方に排気される。
【００４６】
＜室内機の構成＞
図４は、図１に示す室内機の内部構造を示した断面模式図である。前述した室内熱交換器１１とクロスフローファン１２とは、室内機２の室内機ケーシング２０内に収容されている。
【００４７】
室内機ケーシング２０の上部には、複数のスリット状の開口からなる吸込口２００が設けられている。室内機ケーシング２０の下部には室内機２の長手方向に長い開口からなる吹出口２０１が設けられている。また、吹出口２０１には、室内へと吹出す空気が案内されるフラップ２０２が設けられている。このフラップ２０２は、室内機２の長手方向に平行な軸を中心に回動自在に設けられている。フラップ２０２は、フラップモータ２０３（図６参照）によって回動することにより、吹出方向の調整、及び、吹出口２０１の開閉を行うことができる。
【００４８】
室内熱交換器１１はクロスフローファン１２の前方、上方および後部上方を取り囲むように取り付けられている。また、室内熱交換器１１は、クロスフローファン１２の駆動により、吸込口２００から吸い込まれた空気をクロスフローファン１２側に通過させ、伝熱管内部を通過する冷媒との間で熱交換を行わせる。
【００４９】
また、室内熱交換器１１の下方には、熱交換時に室内熱交換器の表面に発生する水滴を受け取るためのドレンパン２０４が設けられている。このドレンパン２０４には、受け取った水滴を外部に排出するためのドレンホース（図示せず）が取り付けられている。冷房運転時には、室内熱交換器１１は蒸発側熱交換器として作用するため、室内熱交換器１１と接触する空気中に含まれる水分が凝縮して水滴となって滴下する。ドレンパン２０４は、このような水滴を受け取ってドレンホースによって排水するように構成されている。
【００５０】
＜加湿ユニット＞
加湿ユニット４は、室外から取り込まれた空気を加湿して室内へと供給する加湿空気供給運転と、室外の空気を室内に供給する換気運転と、室内の空気を室外へと排出させる排気運転とを行うことができる。
【００５１】
図５に示すように、加湿ユニット４は、加湿ユニットケーシング４０と、加湿ユニットケーシング４０内に収容される加湿ロータ４１（回転体）と、ヒータ組立体４２（ヒータ組立体４２）と、加湿ファン組立体４３（吹き付け手段）と、切換ダンパ４４と、吸湿ファン４６（吹き付け手段）とを備えている。
【００５２】
−加湿ユニットケーシング−
加湿ユニットケーシング４０は、加湿ユニット４の前方、後方、及び両側方を覆っており、室外空調ユニット５の上部に接するように配置される。尚、加湿ユニットケーシング４０の上部は天板４９により覆われている。
【００５３】
加湿ユニットケーシング４０の内部の空間は、室外から取り込まれ室内機２へと送られる空気が通る空間と、室外から取り込まれ再び室外へと排出される空気が通る空間とに分けられている。室外から取り込まれ室内機２へと送られる空気が通る空間は、加湿ユニットケーシング４０の正面視における右側に位置している。また、室外から取り込まれ再び室外へと排出される空気が通る空間は、左側に位置している。加湿ユニットケーシング４０の前面の左側には、空気吹出口４０ａが設けられている。また、加湿ユニットケーシング４０の背面には、複数のスリット状の開口からなる空気吸入口４０ｂ（第２の空気取り入れ口）及び給排気口４０ｃ（第１の空気取り入れ口）が左右方向に並んで設けられている。
【００５４】
給排気口４０ｃは、室内機２へと送るために取り込まれる空気が通る開口である。給排気口４０ｃには、通過する空気から塵や埃等を取り除く集塵フィルタ４５が取り付けられている。空気吸入口４０ｂは、加湿ロータ４１に水分を吸着させるために、室外の空気を加湿ユニットケーシング４０内に取り込むための開口である。空気吹出口４０ａは、水分を吸着されて乾燥した空気が加湿ユニットケーシング４０内から排出される際に通る開口である。
【００５５】
−加湿ロータ−
加湿ロータ４１は、概ね円板形状を有するハニカム構造のセラミックであり、ゼオライト、シリカゲル、あるいはアルミナといった吸着剤から焼成されている。加湿ロータ４１は、水平面で切った断面において細かいハニカム（蜂の巣）状になっており、空気が容易に通過できる構造となっている。そして、これらの断面が多角形である加湿ロータ４１の多数の筒部分を、空気が通過する。このゼオライト等の吸着剤は、接触する空気中の水分を吸着し、加熱されることによって含有する水分を脱離する性質を有している。
【００５６】
加湿ロータ４１は、加湿ユニットケーシング４０内で回動可能に支持されている。加湿ロータ４１は、右半分の部分が給排気経路Ｒ１中に、左半分の部分が排出経路Ｒ２中に位置するように配置されている。給排気経路Ｒ１は、加湿ユニット４を通っており、室外から取り込まれ加湿ロータ４１によって加湿されて室内へと送られる空気が通る。排出経路Ｒ２は、加湿ユニット４を通っており、室外から取り込まれ再び室外へと排出される空気が通る。加湿ロータ４１は、加湿ロータ４１の各部分が給排気経路Ｒ１と排出経路Ｒ２とを行き来するように、ロータ駆動モータ４７（回転体駆動手段）により回転駆動される。
【００５７】
尚、加湿ロータ４１は、複数の大きさの細孔を有するゼオライトが用いられる。例えば、加湿ロータ４１では、３Åの径の細孔と、それ以上の径の細孔とを有するゼオライトが用いられる。これにより空気中の水分を容易に吸着することができる。また、給排気経路Ｒ１と排出経路Ｒ２とは、図２に示す室外機空気経路Ｒ３とは別の経路となっている。
【００５８】
−加湿ファン組立体−
加湿ファン組立体４３は、加湿ロータ４１の側方に配置されている。加湿ファン組立体４３は、図２に示すように、加湿ユニットケーシング４０に設けられた給排気口４０ｃ（図１参照）からヒータ組立体４２、加湿ロータ４１及び切換ダンパ４４を経て室内機２へと至る空気の流れを生成して、室外から取り入れられた空気を加湿ロータ４１に通し室内へと送る。また、加湿ファン組立体４３は、室内機２から取り入れた空気を給排気口４０ｃから室外へと排出することもできる。加湿ファン組立体４３は、切換ダンパ４４が切り換わることにより、これらの動作を切り換える。
【００５９】
加湿ファン組立体４３は、室外から取り入れた空気を室内機２へと送る場合には、加湿ロータ４１の右側の略半分を通過した空気を、切換ダンパ４４及び給排気ホース６を介して室内機２へと供給する。
【００６０】
加湿ファン組立体４３は、室内機２から取り入れた室内の空気を室外へと排出する場合には、給排気ホース６を通って送られてきた空気を加湿ユニットケーシング４０の背面に設けられた給排気口４０ｃから室外へと排出する。
【００６１】
−切換ダンパ−
図２に示すように、切換ダンパ４４は、加湿ファン組立体４３と共に配置される回転式の空気流路切換手段であり、第１状態、第２状態及び第３状態に切り換わる。
【００６２】
第１状態においては、加湿ファン組立体４３から吹き出された空気は、給排気ホース６を通って室内機２へと供給されるようになる。これにより、第１状態では、図２及び図５（ｂ）の矢印Ａ１で示す矢印の向きに空気が流れ、加湿空気が給排気ホース６を通って室内機２へと供給されるようになる。
【００６３】
第２状態では、図２の破線矢印Ａ２で示す矢印の向きに空気が流れ、室内機２から給排気ホース６を通ってきた空気が、加湿ファン組立体４３から給排気口４０ｃを経て室外へと排出される。
【００６４】
第３状態では、切換ダンパ４４と給排気ホース６とを繋ぐ経路が閉じられ、室外機３と室内機２との間の空気の流れが遮断される。
【００６５】
−ヒータ組立体−
図２に示すように、加湿用のヒータ組立体４２は、給排気経路Ｒ１の途中に設けられており、加湿ロータ４１の上面の略半分（右側の半分）を覆うように配置されている。このヒータ組立体４２の熱を使って、加湿ロータ４１の略半分を加熱することで、当該加湿ロータ４１の水分を取り出すことができる。
【００６６】
−吸湿ファン−
吸湿ファン４６は、排出ファンモータ４８によって回転する遠心ファンである。そして、この吸湿ファン４６は、図２に示すように、空気吸入口４０ｂ（図１参照）から、加湿ロータ４１を介して空気吹出口４０ａへと流れる気流（図２及び図５（ａ）の矢印Ａ３で示す矢印の向きの気流）を生成する。吸湿ファン４６は、空気吸入口４０ｂから室外の空気を加湿ユニットケーシング４０内に取り込む。加湿ユニットケーシング４０内に取り込まれた空気は、加湿ロータ４１を通る。このため、加湿ロータ４１は、通過する空気から水分を吸着する。水分を吸着されて乾燥した空気は、空気吹出口４０ａから加湿ユニットケーシング４０の前方へ向けて排出される。
【００６７】
＜加湿ユニットの動作＞
空気調和機１における加湿ユニット４の動作を図１及び図２に基づいて説明する。なお、加湿ユニット４は、リモコン装置５０によって設定される加湿運転、換気運転、排気運転などの各運転モードに応じて動作する。
【００６８】
（加湿運転モード）
空気調和機１において、加湿空気供給運転を行うときには、切換ダンパ４４が、上述した第１状態に切り換えられる。この加湿運転モードでは、加湿ロータ４１は、ロータ駆動モータ４７により回転される。
【００６９】
加湿ユニット４は、吸湿ファン４６を回転駆動することによって、室外の空気を空気吸入口４０ｂから加湿ユニットケーシング４０内に取り入れる。加湿ユニットケーシング４０内に入ってきた空気は、図５（ａ）に示すように、加湿ロータ４１の左側の略半分の部分を通過して、吸湿ファン４６を介して空気吹出口４０ａを通って室外機３の前方へと排出される。この際、室外から取り込まれた空気に含まれる水分は、加湿ロータ４１の左側の略半分の部分を通過する際に吸着されて空気から取り除かれる。
【００７０】
このように、室外から取り込まれた空気は、空気吸入口４０ｂ、加湿ロータ４１、吸湿ファン４６及び空気吹出口４０ａを通る排出経路Ｒ２により、再び室外へと排出される。
【００７１】
加湿ロータ４１の左側の略半分の部分は、加湿ロータ４１が回転することによって、加湿ロータ４１の右側の略半分の部分となる。即ち、図５（ａ）及び図５（ｂ）に示すように、排出経路Ｒ２中に位置していた加湿ロータ４１の部分（図５（ａ）のハッチングを施した部分）が加湿ロータ４１が回転することによって、給排気経路Ｒ１中に移動することになる。加湿ロータ４１に吸着された水分は、加湿ロータ４１の回転に伴い、ヒータ組立体４２の下方に位置する加湿ロータ４１の右側の部分に移動してくる。
【００７２】
加湿ファン組立体４３が駆動されると、給排気口４０ｃから加湿ユニットケーシング４０内に室外の空気が取り込まれる。このとき、取り込まれた室外の空気に含有される塵や埃等は、集塵フィルタ４５により除去される。そして、図５（ｂ）に示すように、ヒータ組立体４２により加熱されて水分を放出する加湿ロータ４１の右側の略半分の部分を、加湿ユニットケーシング４０内に取り込まれた空気が通過することで加湿空気が生成される。そして、この加湿空気は、図２に示す切換ダンパ４４の内部を通って加湿ファン組立体４３へと至る。このような空気流は、加湿ファン組立体４３が生成するものである。また、加湿ファン組立体４３は、上記のように加湿ロータ４１及び切換ダンパ４４を通り抜けてきた加湿空気を、給排気ホース６へと送る。そして、この加湿空気は、給排気ホース６を介して室内機２へと送られ、室内熱交換器１１を経て室内に吹き出される。
【００７３】
このように、室外から取り込まれた空気は、給排気口４０ｃ、集塵フィルタ４５、ヒータ組立体４２、加湿ロータ４１、加湿ファン組立体４３及び切換ダンパ４４を通る給排気経路Ｒ１により室内機２へと導かれる。そして、加湿空気が室内へと吹き出される。
【００７４】
（換気運転モード）
空気調和機１において、換気運転を行うときには、切換ダンパ４４が、上述した加湿運転モードと同様に第１状態に切り換えられる。この換気運転モードでは、吸湿ファン４６の回転及び加湿ロータ４１の回転が停止される。
【００７５】
この換気運転時には、加湿ユニット４は、吸湿ファン４６の回転を停止させるため、室外の空気が空気吸入口４０ｂから加湿ユニットケーシング４０内に取り入れられない。このため、加湿ロータ４１に新たに水分が吸着されない。
【００７６】
また、この換気運転時には、加湿ロータ４１の回転が停止されるので、ヒータ組立体４２の下方に位置する加湿ロータ４１の右側の部分が、常に同じ範囲の加湿ロータ４１となる。
【００７７】
加湿ファン組立体４３が駆動されると、給排気口４０ｃから加湿ユニットケーシング４０内に室外の空気が取り込まれる。このとき、取り込まれた室外の空気に含有される塵や埃等は、集塵フィルタ４５により除去される。そして、ヒータ組立体４２が加熱した空気は加湿ロータ４１の同じ範囲に吹き付けられ続けるので、非加湿空気が生成される。そして、この非加湿空気は、図２に示す切換ダンパ４４の内部を通って加湿ファン組立体４３へと至る。このような空気流は、加湿ファン組立体４３が生成するものである。また、加湿ファン組立体４３は、上記のように加湿ロータ４１及び切換ダンパ４４を通り抜けてきた非加湿空気を、給排気ホース６へと送る。そして、この非加湿空気は、給排気ホース６を介して室内機２へと送られ、室内熱交換器１１を経て室内に吹き出される。
【００７８】
このように、室外から取り込まれた空気は、給排気口４０ｃ、集塵フィルタ４５、ヒータ組立体４２、加湿ロータ４１、加湿ファン組立体４３及び切換ダンパ４４を通る給排気経路Ｒ１により室内機２へと導かれる。そして、非加湿空気が室内へと吹き出される。
【００７９】
（非加熱換気運転モード）
空気調和機１において、非加熱換気運転を行うときには、切換ダンパ４４が、上述した加湿運転モード及び換気運転モードと同様に第１状態に切り換えられる。この非換気運転モードでは、吸湿ファン４６の回転及び加湿ロータ４１の回転が停止されると共に、ヒータ組立体４２による加熱も停止される。
【００８０】
この非加熱換気運転時には、加湿ユニット４は、吸湿ファン４６の回転を停止させるため、室外の空気が空気吸入口４０ｂから加湿ユニットケーシング４０内に取り入れられない。このため、加湿ロータ４１に新たに水分が吸着されない。
【００８１】
また、この非加熱換気運転時には、加湿ロータ４１の回転が停止されるので、ヒータ組立体４２の下方に位置する加湿ロータ４１の右側の部分が、常に同じ範囲の加湿ロータ４１となる。
【００８２】
加湿ファン組立体４３が駆動されると、給排気口４０ｃから加湿ユニットケーシング４０内に室外の空気が取り込まれる。このとき、取り込まれた室外の空気に含有される塵や埃等は、集塵フィルタ４５により除去される。この際、ヒータ組立体４２の加熱が停止されているので、非加熱且つ非加湿の空気が生成される。そして、この非加熱且つ非加湿の空気は、図２に示す切換ダンパ４４の内部を通って加湿ファン組立体４３へと至る。このような空気流は、加湿ファン組立体４３が生成するものである。また、加湿ファン組立体４３は、上記のように加湿ロータ４１及び切換ダンパ４４を通り抜けてきた非加熱且つ非加湿の空気を、給排気ホース６へと送る。そして、この非加熱且つ非加湿の空気は、給排気ホース６を介して室内機２へと送られ、室内熱交換器１１を経て室内に吹き出される。
【００８３】
このように、室外から取り込まれた空気は、給排気口４０ｃ、集塵フィルタ４５、ヒータ組立体４２、加湿ロータ４１、加湿ファン組立体４３及び切換ダンパ４４を通る給排気経路Ｒ１により室内機２へと導かれる。そして、非加熱且つ非加湿の空気が室内へと吹き出される。
【００８４】
（排気運転モード）
排気運転を行うときには、上記の切換ダンパ４４は、上述した第２状態に切り換えられる。
【００８５】
加湿ファン組立体４３が駆動されると、室内機２から取り込まれた室内の空気が給排気ホース６から切換ダンパ４４の内部を通って加湿ファン組立体４３へと至る。加湿ファン組立体４３へと至った空気は、再び切換ダンパ４４の内部を通って、加湿ロータ４１の右側の略半分の部分及びヒータ組立体４２を通過し、給排気口４０ｃから室外へと排出される。
【００８６】
このように室内機２から取り込まれた室内の空気は、給排気経路Ｒ１を加湿空気供給運転時とは逆向きに通過し、加湿ユニット４から室外へと排出される。
【００８７】
尚、空気調和機１の運転停止時には、切換ダンパ４４は上述の第３状態とする。第３状態では、上述したように切換ダンパ４４と給排気ホース６とを繋ぐ経路が閉じられ、室内と室外とが連通しない状態となる。
【００８８】
以下、花粉の無害化に関する制御について説明する。
【００８９】
＜制御部の構成＞
図６は、空気調和機１の制御ブロック図である。
図６に示すように、空気調和機１には、マイコンやメモリ等により構成される制御部７０が設けられている。この制御部７０は、圧縮機２１、四路切換弁２２、電動膨張弁２５、プロペラファン２９、室内ファンモータ１３、フラップモータ２０３、リモコン装置５０、加湿ユニット４、日時記憶部７１（期間判定手段）、塵埃センサ７２（異物検出手段）等と有線又は無線により通信可能に構成される。例えば、ユーザー等によりリモコン装置５０に入力された空気調和機１の運転指令は、室内機２の受信部を介して、制御部７０へと送られ、制御部７０は、当該運転指令に基づいて各構成に対して制御信号を出力することにより空気調和機１の運転を制御する。つまり、リモコン装置５０によって、上記した各種運転モードの切り換えが指示される。
【００９０】
＜カレンダー機能に基づく花粉無害化に関する制御＞
制御部７０は、据付時に設定される日時及び日時記憶部７１によって計時される情報に基づいて、現時点が一年間のうちでいずれの時期かを判定している。そして、本実施形態では、制御部７０のメモリなどに花粉飛散時期を予め設定しておき、制御部７０が、現時点が当該花粉飛散時期であると判断した場合に、非加熱換気運転モードが選択された場合でも、自動的に換気運転モードで運転をする。
【００９１】
図７は、カレンダー機能に基づく花粉無害化に関する制御を表すフローチャートである。
まず、制御部７０はリモコン装置５０から送信される運転指令が、非加熱換気運転モードに係る運転指令か否かを判断する（ステップＳ１１）。そして、当該運転指令が、非加熱換気運転モードに係る運転指令である場合には（ステップＳ１１：Ｙｅｓ）、制御部７０は、日時記憶部７１から送信される情報に基づいて、現時点が花粉飛散時期か否かを判定する（ステップＳ１２）。次に、現時点が花粉飛散時期であると判断された場合には（ステップＳ１２：Ｙｅｓ）、制御部７０は、切換ダンパ４４を第１状態にすると共にヒータ組立体４２及び加湿ファン組立体４３を駆動することによって（吸湿ファン４６及び加湿ロータ４１は駆動しない）、換気運転モードで加湿ユニット４を制御する（ステップＳ１３）。
【００９２】
＜塵埃判別機能に基づく花粉無害化に関する制御＞
制御部７０は、塵埃センサ７２によって検知される情報に基づいて、給排気口４０ｃから取り入れられた空気に含まれる異物粒子の量を検出している。そして、本実施形態では、制御部７０が、異物粒子の飛散量が所定量以上であると判断した場合に、空気中に飛散する花粉量が所定量以上だと推定して、非加熱換気運転モードが選択された場合でも、自動的に換気運転モードで運転をする。
【００９３】
図８は、塵埃判別機能に基づく花粉無害化に関する制御を表すフローチャートである。
まず、制御部７０はリモコン装置５０から送信される運転指令が、非加熱換気運転モードに係る運転指令か否かを判断する（ステップＳ２１）。そして、当該運転指令が、非加熱換気運転モードに係る運転指令である場合には（ステップＳ２１：Ｙｅｓ）、制御部７０は、塵埃センサ７２によって検知される情報に基づいて、給排気口４０ｃから取り入れられた空気に含まれる異物粒子の量を検出する（ステップＳ２２）。次に、給排気口４０ｃから取り入れられた空気に含まれる異物粒子の量が所定量以上であると判断した場合には（ステップＳ２２：Ｙｅｓ）、空気中に飛散する花粉量が所定量以上であると推定して、制御部７０は、切換ダンパ４４を第１状態にすると共にヒータ組立体４２及び加湿ファン組立体４３を駆動することによって（吸湿ファン４６及び加湿ロータ４１は駆動しない）、換気運転モードで加湿ユニット４を制御する（ステップＳ２３）。
【００９４】
上記したカレンダー機能に基づく花粉無害化に関する制御、及び、塵埃判別機能に基づく花粉無害化に関する制御を行うか否かは、リモコン装置５０の設定によってユーザが任意に選択できる。つまり、ユーザが花粉症でない場合など、リモコン装置５０の設定によって上記した制御を行う設定を解除すれば、花粉無害化のために自動的に換気運転モードで運転する制御を解除することが可能となる。これにより、自動的にヒータ組立体４２が動作することに係る消費電力を抑えることができる。
【００９５】
次に、ヒータ組立体４２による加熱によって花粉の作用が低減することを実証した実験について説明する。
【００９６】
＜スギ花粉の加熱によるアレルゲン低減を実証するための実験＞
この実験では、通路上にヒータ組立体４２が設けられた風洞ユニットに、約５０ｍｇのスギ花粉を含んだ風速２．３ｍ／ｓの空気を投入して、当該ヒータ組立体４２を通過した花粉をフィルタで捕集し、その捕集された花粉のアレルギー性の低減を比較評価した。なお、花粉のアレルギー性の低減を評価する方法として、ＥＬＩＳＡ法を用いた。また、スギ花粉は、日本スギの成熟雄花から採取した花粉を用いた。また、フィルタは、捕集効率約９０％のフィルタを用いた。
【００９７】
非加熱におけるアレルゲンの低減率（０％）を基準として、各加熱温度におけるアレルゲンの低減率を図９のグラフに示す。この実験から、加熱温度約２００℃では、８４．０％のアレルゲンの低減が確認できた。
【００９８】
［本実施形態の空気調和機の特徴］
本実施形態の空気調和機には、以下のような特徴がある。
【００９９】
上記したように、本実施形態の空気調和機１は、換気運転モードにおいて給排気口４０ｃから取り入れた空気を加熱して室内へ供給できる。これによって、給排気口４０ｃから取り入れた空気に花粉粒子などの異物が含まれている場合に、ヒータ組立体４２の加熱で花粉粒子などの異物の作用を低下させてから室内に換気用の空気を供給することができる。したがって、花粉用フィルタを交換したり、花粉用薬剤を塗布したりするメンテナンスの必要がない。また、異物の作用を低下させるためのヒータとして、加湿用のヒータ組立体４２を用いているので、別途ヒータを用意する必要がない。
【０１００】
また、本実施形態の空気調和機１は、空気吸入口４０ｂから取り入れた空気に含まれる水分を吸着材に吸着させ、その水分を用いて給排気口４０ｃから取り入れた空気を加湿することができる。
【０１０１】
また、本実施形態の空気調和機１は、加湿運転モードでは、所定の位置において空気吸入口４０ｂから取り入れた空気を吹き付けることで、その空気の水分を吸着材に吸着させる。このとき所定の位置にあった吸着材は、加湿ロータ４１の回転によって回転方向下流側へと移動する。そして、その下流側の位置において、給排気口４０ｃから取り入れた空気を吹き付けることで、吸着材が吸着した水分をヒータ組立体４２の加熱により当該空気へと放出させることができる。これによって、給排気口４０ｃから取り入れた空気を加湿することができる。
【０１０２】
また、本実施形態の空気調和機１は、換気運転モードでは、加湿ロータ４１が回転しないので、給排気口４０ｃから取り入れた空気は吸着材の同じ範囲に吹き付けられ続ける。したがって、給排気口４０ｃから取り入れた空気は、ヒータ組立体４２により加熱されるだけで加湿されずに換気用の空気として室内などに供給される。
【０１０３】
また、本実施形態の空気調和機１は、換気運転において、加熱によって異物の作用を低下させるモードと加熱しないモードとを切り換えることができる。
【０１０４】
また、本実施形態の空気調和機１は、換気運転において、加熱によって異物の作用を低下させるモードと加熱しないモードとを、リモコン装置５０の操作によって切り換えることができる。
【０１０５】
また、本実施形態の空気調和機１は、所定期間を花粉が多く発生する期間に設定することにより、花粉が多い期間には加熱によって花粉の作用を低下させるモードを自動で選択することができる。
【０１０６】
また、本実施形態の空気調和機１は、空気中に含まれる異物粒子の検出量に基づいて、異物が多い場合には加熱によって異物の作用を低下させるモードを自動で選択することができる。
【０１０７】
（第２実施形態）
次に、図１０を参照して、本発明の第２実施形態に係る空気調和機について説明する。なお、第１実施形態と同様の構成については、第１実施形態と同様の番号を付して、その説明を省略する。
【０１０８】
本実施形態の空気調和機１００は、図１０に示すように、室内の壁面などに取り付けられる室内機１０２と、室外に設置される室外機１０３とを備えている。
【０１０９】
室内機１０２は、上記した第１実施形態の室内機２と略同一構成であって、主として、室内熱交換器１１と、クロスフローファン１２と、室内ファンモータ１３とを備えている。
【０１１０】
室外機１０３は、加熱ユニット１０４と、室外空調ユニット１０５とを備えている。加熱ユニット１０４は、室外から空気を取り込み、当該空気を加熱して室内へ送る。室外空調ユニット１０５は、室外熱交換器やプロペラファンなどを収納し室内の冷暖房を行う。
【０１１１】
加熱ユニット１０４は、室外から取り込まれた空気を加熱して室内へと供給する加熱換気運転と、室外から取り込まれた空気を加熱せずに室内へと供給する非加熱換気運転と、室内の空気を室外へと排出させる排気運転とを行うことができる。この加熱ユニット１０４は、主として、空気取り入れ口１４１から外気を取り入れるためのファン１４２と、空気取り入れ口１４１から取り入れた空気を加熱するヒータ１４３とを備えている。本実施形態の加熱ユニット１０４は、第１実施形態の加湿ユニット４と異なり、加湿機能は有していない。
【０１１２】
また、室外空調ユニット１０５は、上記した第１実施形態の室外空調ユニット５と略同一構成であって、主として、圧縮機２１、四路切換弁２２、アキュムレータ２３、室外熱交換器２４、電動膨張弁２５、プロペラファン２９、及び、室外ファンモータ３０を備えている。
【０１１３】
＜加熱ユニットの動作＞
空気調和機１１００における加熱ユニット１０４の動作を説明する。なお、加熱ユニット１０４は、リモコン装置５０によって設定される加熱換気運転、非加熱換気運転、排気運転の各運転モードに応じて動作する。
【０１１４】
（加熱換気運転モード）
空気調和機１００において、加熱換気運転を行うときには、加熱ユニット１０４は、ファン１４２を回転駆動することによって、室外の空気を空気取り入れ口１４１から加熱ユニット１０４のケーシング内に取り入れる。このケーシング内に取り込まれた空気は、ヒータ１４３で加熱されて、給排気ホース６へと送られる。そして、この加熱空気は、給排気ホース６を介して室内機２へと送られ、室内熱交換器１１を経て室内に吹き出される。
【０１１５】
（非加熱換気運転モード）
空気調和機１において、非加熱換気運転を行うときには、加熱ユニット１０４は、ファン１４２を回転駆動することによって、室外の空気を空気取り入れ口１４１から加熱ユニット１０４のケーシング内に取り入れる。このケーシング内に取り込まれた空気は、ヒータ１４３で加熱されずに、給排気ホース６へと送られる。そして、この非加熱空気は、給排気ホース６を介して室内機２へと送られ、室内熱交換器１１を経て室内に吹き出される。
【０１１６】
（排気運転モード）
空気調和機１において、排気運転を行うときには、切換ダンパ（図示せず）を切り替えて、空気の流れ方向を切り替える。この状態で、ファン１４２が駆動されると、室内機１０２から取り込まれた室内の空気が給排気ホース６からファン１４２へと至る。そして、ファン１４２へと至った空気は、空気取り入れ口１４１から室外へと排出される。
【０１１７】
［本実施形態の空気調和機の特徴］
本実施形態の空気調和機には、以下のような特徴がある。
【０１１８】
上記したように、本実施形態の空気調和機１００は、加熱換気運転モードにおいて空気取り入れ口１４１から取り入れた空気を加熱して室内へ供給できる。これによって、空気取り入れ口１４１から取り入れた空気に花粉粒子などの異物が含まれている場合に、ヒータ１４３の加熱で花粉粒子などの異物の作用を低下させてから室内に換気用の空気を供給することができる。したがって、花粉用フィルタを交換したり、花粉用薬剤を塗布したりするメンテナンスの必要がない。
【０１１９】
また、本実施形態の空気調和機１００は、上記した第１実施形態の空気調和機１とは異なり、加湿機能を有していないので、その構成を簡略化できる。
【０１２０】
［第１変形例］
上記第２実施形態では、空気取り入れ口から取り入れた空気を加熱するヒータを室外機に配置する例について説明したが、本発明はこれに限らず、図１１に示した第２実施形態の第１変形例のように、給排気ホース上にヒータを設けても良い。具体的には、この第１変形例に係る空気調和機２００は、図１１に示すように、室内機２０２と室外機２０３とを備えており、その室外機２０３の加熱ユニット２０４は、空気取り入れ口２４１から外気を取り入れるためのファン２４２を備えている。また、給排気ホース６上には、空気取り入れ口２４１から取り入れた空気を加熱するヒータ２４３が設けられている。つまり、この変形例に係る空気調和機２００では、上記した第２実施形態の室外機１０３と異なり、室外機２０３の加熱ユニット２０４にはヒータが搭載されておらず、室内機２０２と室外機２０３との間の給排気ホース６上にヒータ２４３が設けられている。
【０１２１】
［第２変形例］
上記第２実施形態及びその第１変形例では、空気取り入れ口から取り入れた空気を加熱するヒータを、それぞれ室外機及び給排気ホース上に配置する例について説明したが、本発明はこれに限らず、図１２に示した第２実施形態の第２変形例のように、室内機にヒータを設けても良い。具体的には、この変形例に係る空気調和機３００は、図１２に示すように、室内機３０２と室外機３０３とを備えており、その室内機３０２には、空気取り入れ口３４１から外気を取り入れるためのファン３４２、及び、空気取り入れ口３４１から取り入れた空気を加熱するヒータ３４３が設けられている。つまり、この変形例に係る空気調和機３００では、上記した第２実施形態の空気調和機１００及び第１変形例の空気調和機２００と異なり、ファン３４２及びヒータ３４３が室内機３０２に搭載されている。
上記したように、室内機３０２に外気を取り入れる空気取り入れ口３４１を設け、且つ、室内機３０２の内部にファン３４２及びヒータ３４３を搭載することによって、既存の室外機の構成を変更することなく、ヒータ３４３の加熱で花粉粒子などの異物の作用を低下させてから室内に換気用の空気を供給することが可能となる。
【０１２２】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【０１２３】
例えば、上記実施形態では、冷媒回路を循環する冷媒として、ＣＯ２冷媒、ＮＨ３冷媒、Ｒ２２冷媒などを使用可能である。
【０１２４】
また、上記実施形態では、２つの空気取り入れ口（給排気口４０ｃ、空気吸入口４０ｂ）を設ける例について説明したが、本発明はこれに限らず、吸着材に水分を吸着させる空気を取り入れる空気取り入れ口と、吸着剤に吸着された水分で加湿される空気を取り入れる空気取り入れ口とを共通の１つの空気取り入れ口にしても良いし、３つ以上の空気取り入れ口を設けてもよい。
【０１２５】
また、上記実施形態では、第２の空気取り入れ口（空気吸入口４０ｂ）から取り入れた空気を吹き付ける吹き付け手段（吸湿ファン４６）と、第１の空気取り入れ口（給排気口４０ｃ）から取り入れた空気を吹き付ける吹き付け手段（加湿ファン組立体４３）とを、別々に設ける例について説明したが、本発明はこれに限らず、共通の１つの吹き付け手段で構成してもよい。
【０１２６】
また、上記実施形態では、加湿運転モード、換気運転モード、非加熱換気運転モード及び排気運転モードを有する空気調和機について説明したが、本発明はこれに限らず、少なくとも加湿運転モード及び換気運転モードを有していればよい。
【産業上の利用可能性】
【０１２７】
本発明を利用すれば、空気中に含まれる花粉等の有害物質が室内に取り込まれないようにすることが可能な空気調和機を得ることができる。
【符号の説明】
【０１２８】
１，１００，２００，３００  空気調和機
４  加湿ユニット（加湿手段）
４０ｃ  給排気口（第１の空気取り入れ口）
４０ｂ  空気吸入口（第２の空気取り入れ口）
４１  加湿ロータ（回転体）
４２  ヒータ組立体（ヒータ）
４３  加湿ファン組立体（吹き付け手段）
４６  吸湿ファン（吹き付け手段）
４７  ロータ駆動モータ（回転体駆動手段）
５０  リモコン装置
７１  日時記憶部（期間判定手段）
７２  塵埃センサ（異物検出手段）
１４１，２４１，３４１  空気取り入れ口
１４２，２４２，３４２  ファン
１４３，２４３，３４３  ヒータ
【図１】
2010043848.tif 000003
【図２】
2010043848.tif 000004
【図３】
2010043848.tif 000005
【図４】
2010043848.tif 000006
【図５】
2010043848.tif 000007
【図６】
2010043848.tif 000008
【図７】
2010043848.tif 000009
【図８】
2010043848.tif 000010
【図９】
2010043848.tif 000011
【図１０】
2010043848.tif 000012
【図１１】
2010043848.tif 000013
【図１２】
2010043848.tif 000014